(57)【特許請求の範囲】
【請求項１】
媒体の挿入口を平面から見たときにその挿入口の挿入方向の中心線ｅを中心にして入口から所定の距離ｄ′の位置の左右に所定の距離ｄ1 ，ｄ1 を保ってセンサ１ａ，１ｂをそれぞれ設け、それらセンサ１ａ，１ｂよりも入口側に所定距離ｄ4 離れた位置で、かつ、中心線ｅを中心に左右にそれらセンサ１ａ，１ｂの設置位置よりも外側の位置の左右に所定の距離ｄ2 ，ｄ2 を保ってセンサ２ａ，２ｂをそれぞれ設け、それらセンサ２ａ，２ｂよりも外側で、上記中心線ｅを中心に左右に所定の距離ｄ3 ，ｄ3 を保ってセンサ３ａ，３ｂをそれぞれ設け、
前記センサ１ａ又はセンサ１ｂが遮光のときで、センサ１ａのみ遮光、センサ１ｂのみ遮光、センサ１ａ遮光かつセンサ１ｂ遮光かつセンサ２ａ受光かつセンサ２ｂ受光、センサ２ａ遮光かつセンサ２ｂ受光、又はセンサ２ａ受光かつセンサ２ｂ遮光のときに、前記挿入口に挿入された媒体をエドモンソン券と判定し、前記センサ１ａ又はセンサ１ｂが遮光のときで、センサ２ａ遮光かつセンサ２ｂ遮光かつセンサ３ａ遮光かつセンサ３ｂ受光、センサ２ａ遮光かつセンサ２ｂ遮光かつセンサ３ａ受光かつセンサ３ｂ遮光、又はセンサ２ａ遮光かつセンサ２ｂ遮光かつセンサ３ａ受光かつセンサ３ｂ受光のときに、前記挿入口に挿入された媒体をＩＣカード又はクレジットカードと判定し、
前記全てのセンサ１ａ〜センサ３ｂが遮光のときに、前記挿入口に挿入された媒体をサイバネカード、定期券又は磁気大型券と判定する、
判定手段を設けたことを特徴とする媒体処理装置。
【発明の詳細な説明】
【０００１】
【発明の属する技術分野】
本発明は、自動精算機や自動券売機等の媒体処理機に組込まれる媒体処理装置に関する。
【０００２】
【従来の技術】
従来、例えば、媒体処理装置が自動精算機の場合、その自動精算機の接客面に設けられている挿入口に精算原券に当るエドモンソン券（普通乗車券）や定期券等の媒体が挿入されるとともに、その挿入口には、精算料金をプリペイドカードやストアードフェアカード（ＳＦカード）等のサイバネカードを用いて支払うときに、そのサイバネカードの媒体も挿入されるように構成されている。
【０００３】
挿入口にいずれの種類の媒体が挿入されたかは、挿入口に設けられたホトセンサからなるセンサ群で検出されるように構成されている。すなわち、これらセンサ群は、挿入口を平面から見たときに互いに所定の間隔を保って設けられていて、センサ群のうちいずれのセンサで検出されたかによって媒体の種別が判定されるように構成されている。
【０００４】
【発明が解決しようとする課題】
ところで、近年、カード社会の到来により媒体処理機にＩＣカードやクレジットカードを挿入して使用できるようにすることが考えられている。このように、ＩＣカードやクレジットカードもエドモンソン券やサイバネカードの挿入口と同一の挿入口に挿入しようとすると、挿入口には、ＩＣカードやクレジットカードを検出するための大型の検出装置が必要となり、挿入口部分の機構が複雑化するとともに、大型化してしまうという新たな問題点が発生してしまう。
【０００５】
また、ＩＣカードやクレジットカードをエドモンソン券やサイバネカードと異なる挿入口に挿入するようにした場合、挿入口が複数となり挿入間違いが発生しやすくなるばかりでなく、装置の大型化、複雑化を招来する欠点がある。
【０００６】
そこで、本発明は、簡単な構成により、エドモンソン券やサイバネカードを挿入する挿入口からＩＣカードやクレジットカードも挿入できるようにした媒体処理装置を提供することを目的としている。
【０００７】
【課題を解決するための手段】
本発明に係る媒体処理装置は、上記目的を達成するために、媒体の挿入口を平面から見たときにその挿入口の挿入方向の中心線ｅを中心にして入口から所定の距離ｄ′の位置の左右に所定の距離ｄ1 ，ｄ1 を保ってセンサ１ａ，１ｂをそれぞれ設け、それらセンサ１ａ，１ｂよりも入口側に所定距離ｄ4 離れた位置で、かつ、中心線ｅを中心に左右にそれらセンサ１ａ，１ｂの設置位置よりも外側の位置の左右に所定の距離ｄ2 ，ｄ2 を保ってセンサ２ａ，２ｂををそれぞれ設け、それらセンサ２ａ，２ｂよりも外側で、上記中心線ｅを中心に左右に所定の距離ｄ3 ，ｄ3 を保ってセンサ３ａ，３ｂをそれぞれ設け、前記センサ１ａ又はセンサ１ｂが遮光のときで、センサ１ａのみ遮光、センサ１ｂのみ遮光、センサ１ａ遮光かつセンサ１ｂ遮光かつセンサ２ａ受光かつセンサ２ｂ受光、センサ２ａ遮光かつセンサ２ｂ受光、又はセンサ２ａ受光かつセンサ２ｂ遮光のときに、前記挿入口に挿入された媒体をエドモンソン券と判定し、前記センサ１ａ又はセンサ１ｂが遮光のときで、センサ２ａ遮光かつセンサ２ｂ遮光かつセンサ３ａ遮光かつセンサ３ｂ受光、センサ２ａ遮光かつセンサ２ｂ遮光かつセンサ３ａ受光かつセンサ３ｂ遮光、又はセンサ２ａ遮光かつセンサ２ｂ遮光かつセンサ３ａ受光かつセンサ３ｂ受光のときに、前記挿入口に挿入された媒体をＩＣカード又はクレジットカードと判定し、前記全てのセンサ１ａ〜センサ３ｂが遮光のときに、前記挿入口に挿入された媒体をサイバネカード、定期券又は磁気大型券と判定する、判定手段を設けたことを特徴としている。
【０００８】
【発明の実施の形態】
以下、本発明の実施の形態を図面に基づいて説明する。図１は、一実施の形態に係る媒体処理装置ａの概略構成図であって、この媒体処理装置ａは、例えば、自動精算機等の媒体処理機に組込まれる。
【０００９】
挿入口は、媒体処理機（例えば自動精算機）の接客面に設けられており、この挿入口ｂからは、普通乗車券のエドモンソン券、定期券やＳＦカード等のサイバネカード、８５ｍｍ券と呼ばれる磁気大型券、ＩＣカード又はクレジットカードからなる挿入物である媒体イが挿入できるように構成されいている。
【００１０】
図１中、Ｌは、一対の無端ベルトを対設して構成され、あるいはローラ群によって構成されたモータＭによって駆動される周知の搬送路であって、挿入口ｂから挿入された媒体イを媒体処理ユニットｃまで搬送するとともに、その媒体処理ユニットｃから挿入口ｂまで搬送（返却）できるように構成されている。
【００１１】
媒体処理ユニットｃは、図１では１個の処理ユニットとして示されているが、媒体の種別毎の処理ユニットを含んで構成されている。したがって、例えば挿入口ｂに挿入された媒体イがエドモンソン券の場合は、図示しないウイングを介してその媒体イはエドモンソン券処理ユニットに搬送され、また、搬送された媒体イがＩＣカードの場合は、ウイングを介してその媒体イはＩＣカード処理ユニットに搬送される。
【００１２】
図１中、ｄはＣＰＵを中心に構成された制御器であって、媒体処理装置ａを含む媒体処理機全体を統括的に制御できるように構成されている。この制御機は、後述するセンサ群からの検出信号を入力して挿入口ｂに挿入された媒体（挿入物）イの種別を判定することができるように構成されている。
【００１３】
図２は、図１のＡ−Ａ線拡大断面図で、挿入口ｂを平面から見た図に相当している。この挿入口ｂの平面形状は挿入口ｂの入り口側（図２では下側）がラッパ状に開いていて、媒体イ（図１参照）が挿入しやすいように工夫されているとともに、その挿入口ｂの幅（媒体イの挿入方向（図２の矢印参照）と直交する方向の幅）ｄ0 は、挿入口ｂに挿入される媒体のうち、最も大きな媒体が挿入できるように決められている。具体的には、後述の図５に示されるサイバネカード、定期券及び磁気大型券の幅方向の大きさよりも少し大きく形成されいている。
【００１４】
図２中、１ａ，１ｂ、２ａ，２ｂ及び３ａ，３ｂは、ホトセンサからなるセンサ群であって、挿入口ｂを形成するプレートに開孔する形で設けられている。すなわち、センサ１ａ，１ｂ、２ａ，２ｂは小孔に形成され、また、センサ３ａ，３ｂは、媒体の挿入方向に伸びる小さい長孔により形成されている。
【００１５】
これらセンサ群は、媒体イの挿入方向の中心線ｅを中心にして左右対称の関係を保って設けられている。すなわち、これらセンサ群のうち、センサ１ａ，１ｂは、挿入口ｂの入口（図２では下部）から所定距離ｄ′進んだ位置で、かつ、挿入方向の中心線ｅを中心にして左右側にそれぞれ等しい距離ｄ1 ，ｄ1 離れた位置にそれぞれ設けられている。
【００１６】
センサ群のうち、センサ２ａ，２ｂ、３ａ，３ｂは、上記センサ１ａ，１ｂよりも挿入口ｂの入口側に所定距離ｄ4 離れた位置に設けられ、センサ２ａ，２ｂは、センサ１ａ，１ｂよりも中心線ｅから離れた所定距離ｄ2 ，ｄ2 の位置にそれぞれ設けられている。また、センサ３ａ，３ｂは、センサ２ａ，２ｂよりも外側で、ほぼ挿入口ｂの幅ｄ0 に近い、中心線ｅから所定距離ｄ3 ，ｄ3 離れた位置にそれぞれ設けられている。なお、図示の例では、センサ２ａ，２ｂ及びセンサ３ａ，３ｂは、横一直線上に設けられているが、挿入方向に対して少し前後して、すなわち、センサ３ａ，３ｂは、センサ２ａ，２ｂよりも挿入口ｂの入口側に設けることもできる。
【００１７】
図３は、挿入口ｂにエドモンソン券が挿入されたときの媒体の検出状態を示している。すなわち、挿入口ｂにエドモンソン券が図３の▲１▼〜▲５▼のいずれかの状態で挿入されたときのセンサ群の検出状態は、センサ１ａ又はセンサ１ｂが遮光のときで、センサ１ａのみ遮光、センサ１ｂのみ遮光、センサ１ａ遮光かつセンサ１ｂ遮光かつセンサ２ａ受光かつセンサ２ｂ受光、センサ２ａ遮光かつセンサ２ｂ受光、又はセンサ２ａ受光かつセンサ２ｂ遮光のときに、挿入口ｂへの挿入物は、エドモンソン券と判定される。
【００１８】
図４は、上記構成からなる挿入口ｂにＩＣカード又はクレジットカードが挿入されたときの媒体（挿入物）の検出状態を示している。すなわち、挿入口ｂにＩＣカード又はクレジットカードが図４の▲１▼〜▲４▼のいずれかの状態で挿入されたときのセンサ群の検出状態は、センサ１ａ又はセンサ１ｂが遮光のときで、センサ２ａ遮光かつセンサ２ｂ遮光かつセンサ３ａ遮光かつセンサ３ｂ受光、センサ２ａ遮光かつセンサ２ｂ遮光かつセンサ３ａ受光かつセンサ３ｂ遮光、又はセンサ２ａ遮光かつセンサ２ｂ遮光かつセンサ３ａ受光かつセンサ３ｂ受光のときに、挿入口ｂへの挿入物は、ＩＣカード又はクレジットカードと判定される。
【００１９】
図５は、挿入口ｂにサイバネカード、定期券又は磁気大型券（８５ｍｍ）が挿入されたときの媒体の検出状態を示している。すなわち、挿入口ｂにサイバネカード、定期券又は磁気大型券が図５の▲１▼〜▲４▼のいずれかの状態で挿入されたときのセンサ群の検出状態は、全てのセンサ１ａ〜センサ３ｂの遮光のときに、挿入口ｂへの挿入物は、サイバネカード、定期券又は磁気大型券と判定される。
【００２０】
以上のように、挿入口ｂに設けられたセンサ群により挿入された媒体がＩＣカードかクレジットカード、サイバネカード、定期券又は磁気大型券、あるいはエドモンソン券かを簡単な構成で判別することができる。
【００２１】
【発明の効果】
本発明に係る媒体処理装置は、センサ１ａ又はセンサ１ｂが遮光のときで、センサ１ａのみ遮光、センサ１ｂのみ遮光、センサ１ａ遮光かつセンサ１ｂ遮光かつセンサ２ａ受光かつセンサ２ｂ受光、センサ２ａ遮光かつセンサ２ｂ受光、又はセンサ２ａ受光かつセンサ２ｂ遮光のときに、挿入口に挿入された媒体をエドモンソン券と判定し、センサ１ａ又はセンサ１ｂが遮光のときで、センサ２ａ遮光かつセンサ２ｂ遮光かつセンサ３ａ遮光かつセンサ３ｂ受光、センサ２ａ遮光かつセンサ２ｂ遮光かつセンサ３ａ受光かつセンサ３ｂ遮光、又はセンサ２ａ遮光かつセンサ２ｂ遮光かつセンサ３ａ受光かつセンサ３ｂ受光のときに、挿入口に挿入された媒体をＩＣカード又はクレジットカードと判定し、全てのセンサ１ａ〜センサ３ｂが遮光のときに、挿入口に挿入された媒体をサイバネカード、定期券又は磁気大型券と判定する判定手段を設けているので、簡単な構成により挿入された媒体の種別を判別することができる。
【図面の簡単な説明】
【図１】本発明の媒体処理装置を適用した媒体処理機の概略構成図である。
【図２】図１のＡ−Ａ線拡大断面図である。
【図３】媒体がエドモンソン券のときの検出状を示す平面図である。
【図４】媒体がＩＣカード又はクレジットカードのときの検出状態を示す平面図である。
【図５】媒体がサイバネカード、定期券又は磁気大型券のときの検出状を示す平面図である。
【符号の説明】
イ      媒体
ａ      媒体処理装置
ｂ      挿入口
ｃ      媒体処理ユニット
ｄ      制御器
Ｍ      モータ
Ｌ      搬送路
１ａ，１ｂ、２ａ，２ｂ、３ａ，３ｂ      センサ
【図１】
0004711553.tif 000002
【図２】
0004711553.tif 000003
【図３】
0004711553.tif 000004
【図４】
0004711553.tif 000005
【図５】
0004711553.tif 000006